(57)【要約】【課題】流路内での埃等の異物の滞留を防止して、室内側への突出長さが短くなる浴室乾燥機を提供する。【解決手段】浴室２の壁部を貫通して形成された換気通路３と、室外に設置されて熱媒を加熱する熱源４と、浴室２内に配置され、熱媒によって浴室２内の空気を加熱する放熱ユニット５と、室外に設けられ、換気通路３，３ａ，３ｂを通して浴室２内の空気を強制的に換気する換気ユニット６とを有する浴室乾燥機１において、放熱ユニット５のケーシング１３の外周縁部を、換気通路３，３ａ，３ｂの周囲を覆って壁面に隙間なく固定し、放熱ユニット５のケーシング１３の内部に、換気通路３，３ａ，３ｂに連通する排気通路２３を貫通して形成し、放熱ユニット５に設けられた浴室２内の空気の吸気用フィルタ２８の一部を、排気通路２３内に配置したので、壁面と放熱ユニット５との間の隙間がなくなり、放熱ユニット５が浴室２の内側に突出しなくなる。【選択図】          図１
2004361026.tif 000002
【特許請求の範囲】
【請求項１】
浴室の壁部を貫通して形成された換気通路と、室外に設置されて熱媒を加熱する熱源と、浴室内に配置され、前記熱源から送られる熱媒によって前記浴室内の空気を加熱する放熱ユニットと、前記室外に設けられ、前記換気通路を通して前記浴室内の空気を強制的に換気する換気ユニットとを有する浴室乾燥機において、
前記放熱ユニットのケーシングの外周縁部は、前記換気通路の周囲を覆って壁面に隙間なく固定され、
前記放熱ユニットのケーシングの内部には、前記換気通路に連通する排気通路が貫通して形成され、
前記放熱ユニットに設けられた浴室内空気の吸気用フィルタの一部は、前記排気通路内に配置されていることを特徴とする浴室乾燥機。
【請求項２】
前記放熱ユニットは、送風ファンと、この送風ファンを囲んで円弧状に配置され多数のフィンを有する熱交換器とを備え、前記排気通路の入口は、前記ケーシングの上後部に形成され、前記排気通路は、前記ケーシングと前記熱交換器とによって囲まれて形成されていることを特徴とする請求項１に記載の浴室乾燥機。
【請求項３】
前記放熱ユニットは横長に形成され、前記排気通路の出口は、前記ケーシングの背面の複数箇所に形成されていることを特徴とする請求項１または２に記載の浴室乾燥機。
【発明の詳細な説明】
【０００１】
【発明の属する技術分野】
本発明は、熱媒によって浴室内の暖房や乾燥を行う浴室乾燥機に関する。
【０００２】
【従来の技術】
従来、屋外に設置した給湯装置等を熱源とした浴室乾燥機は、温水を熱媒として浴室内を暖房したり衣類を乾燥させたりすることに利用されている。このような浴室乾燥機として、放熱ユニットと換気ユニットを分離させ、それぞれ浴室の内外に配置した浴室乾燥機が開発されている（例えば、特許文献１参照。）。
浴室内には放熱ユニットだけが設置されるため、両ユニットが一体化した装置に比べて小型化することができる。
換気ユニットは、壁部に設けた換気通路に連通して、浴室内の空気をファンを用いて排出し、また、放熱ユニットは、室外に設置した給湯装置に往き配管および戻り配管を介して接続されている。往き配管および戻り配管は、換気通路内を通過している。
放熱ユニットは、換気通路が隠れるように配置されているが、浴室内の空気を換気通路に流入させるため、壁面との間に隙間を空けて固定されている。
【０００３】
【特許文献１】
特開２００１−１４１３６６号公報  （第２−５頁、第２図）
【０００４】
【発明が解決しようとする課題】
しかしながら、特許文献１の放熱ユニットは、浴室内の空気をフィルタを通さずに隙間から換気通路に流入させるため、浴室内の埃等の異物が隙間や換気通路に滞留して清掃が困難になったり、換気ユニット内の駆動部分に滞留し、ファンに高負荷が加わって故障したりすることがある。
また、放熱ユニットに換気ユニットを内蔵しなくてよいので、放熱ユニットを小型化することができるが、壁面との間に隙間を形成する必要があるので、浴室内側への突出長さが長くなってしまい、小型化のメリットがなくなるという問題がある。
【０００５】
そこで本発明が解決しようとする課題は、流路内での埃等の異物の滞留を防止して、浴室内側への突出長さが短くなる浴室乾燥機を提供することにある。
【０００６】
【課題を解決するための手段】
前記課題を解決するため、本発明の浴室乾燥機は、浴室の壁部を貫通して形成された換気通路と、室外に設置されて熱媒を加熱する熱源と、浴室内に配置され、前記熱源から送られる熱媒によって前記浴室内の空気を加熱する放熱ユニットと、前記室外に設けられ、前記換気通路を通して前記浴室内の空気を強制的に換気する換気ユニットとを有する浴室乾燥機において、前記放熱ユニットのケーシングの外周縁部は、前記換気通路の周囲を覆って壁面に隙間なく固定され、前記放熱ユニットのケーシングの内部には、前記換気通路に連通する排気通路が貫通して形成され、前記放熱ユニットに設けられた浴室内空気の吸気用フィルタの一部は、前記排気通路内に配置されていることを特徴とする。
【０００７】
熱源には、例えば、給湯装置が用いられる。熱源と放熱ユニットとは、熱媒を送ることができる配管で接続されている。放熱ユニットは、熱媒によって浴室内の空気を加熱できる機構を備えており、通常は、ファンまたはブロワと、熱交換器とをケーシング内に有している。換気ユニットは、浴室内の空気を吸引できる機構を備えていればよいが、通常は、ファンまたはブロワを有している。
【０００８】
「隙間なく」とは、平板状の取付金具の厚み程度の微小な隙間を有する場合も含んでおり、隙間を有する場合であってもこの隙間から換気通路に空気がほとんど通過しない状態をいう。
【０００９】
排気通路は、ケーシングの背面以外の面、例えば、側面、上面、下面または前面に開口部を形成し、放熱ユニットの内部を背面まで貫通して形成されている。
【００１０】
浴室内の暖房を行うとき、浴室内の空気は、放熱ユニットのケーシングの一部に形成した吸気口から取り入れられ、吸気用フィルタで埃等の異物を除去されてから熱源の熱によって加熱され、吹出口から浴室内に吹き出される。
【００１１】
また、換気を行うとき、浴室内の空気は、ケーシングに形成した開口部、吸気用フィルタ、排気通路および換気通路を通過して換気ユニットに吸引され、室外に排気される。
【００１２】
暖房や換気を行うときに、空気に含まれている埃等の異物は、同一の吸気用フィルタで同時に除去することができる。
【００１３】
排気通路は、例えば、放熱ユニット内の無駄なスペースを利用して、熱交換器の空気流入側（低温側）に形成することができる。排気通路を放熱ユニットの内部に形成したので、壁面と放熱ユニットとの間の隙間がなくなり、放熱ユニットが浴室内側に突出しなくなる。
【００１４】
前記放熱ユニットに、送風ファンと、この送風ファンを囲んで円弧状に配置され多数のフィンを有する熱交換器とを設け、前記排気通路の入口を、前記ケーシングの上後部に形成し、前記排気通路を、前記ケーシングと前記熱交換器とによって囲んで形成すると、排気通路の入口が上方に開口するので、排気通路に付着した水滴が浴室内に滴下することがなくなり、また、排気通路の壁部を薄くすることができ、全体の厚みを小さくすることができる。
【００１５】
放熱ユニットと換気ユニットを同時に作動したときは、排気通路に流入した空気の大部分は、換気ユニットに吸引され、一部の空気がフィンの間を通過して加熱され、浴室内に戻される。
【００１６】
換気ユニットのみを作動させたときは、フィンの間の流路の抵抗が大きいので、排気通路内の空気は、フィンの間の隙間を通過せずに、換気ユニット側に移動する。
【００１７】
前記放熱ユニットを横長に形成し、前記排気通路の出口を、前記ケーシングの背面の複数箇所に形成すると、放熱ユニットを換気通路の位置に対して複数の場所に設置可能となる。
【００１８】
【発明の実施の形態】
以下、本発明の実施の形態について説明する。
図１は本発明の一実施の形態の浴室乾燥機の側断面図である。図１に示すように、本発明の一実施の形態の浴室乾燥機１は、浴室２の壁部を貫通して形成された換気通路３と、室外に設置されて熱媒を加熱する熱源の一例である給湯装置４と、浴室２内に配置され、給湯装置４から送られる熱媒によって浴室２内の空気を加熱する放熱ユニット５と、室外に設けられ、換気通路３を通して浴室２内の空気を強制的に換気する換気ユニット６とを有している。
【００１９】
換気通路３は、浴室２の壁部７に形成された貫通孔に嵌め込んだ円筒状の排気ダクト（図示せず）の内部に形成されている。
【００２０】
給湯装置４は、屋外に設置され、放熱ユニット５内の熱交換器１０に往き配管１１および戻り配管１２を介して接続されている。
【００２１】
図２は浴室乾燥機の放熱ユニットの側断面図である。図１、図２に示すように、壁部７の内面８には、平板状の取付板９が固定され、放熱ユニット５のケーシング１３の外周縁部は、取付板９を介して内面８に隙間なく固定されている。
【００２２】
放熱ユニット５は、横長直方体状の硬質樹脂からなるケーシング１３の内部に、クロスフローファン等の外形円筒状の送風ファン１４を、軸方向が水平になるように配置し、送風ファン１４の上方に熱交換器１０を、送風ファン１４を囲んで円弧状に配置している。熱交換器１０は、前部１５、上前部１６、上後部１７の３ブロックに分割して配置され、それぞれ多数の平板矩形状のフィン１８、１９、２０を横方向に平行に配置している。
【００２３】
前部１５および上前部１６にそれぞれ配置されたフィン１８、１９の長手方向は、送風ファン１４の周方向となるように配置されている。また、上後部１７のフィン２０の長手方向は、フィン１９の後端部から下後方向に傾斜するように配置されている。
【００２４】
ケーシング１３の下前部の内側にはスタビライザ３５が設けられている。スタビライザ３５と、上後部１７のフィン２０の下端部とは、送風ファン１４に近接して配置されており、さらにケーシング１３の下後側と送風ファン１４との間の隙間が徐々に拡大するように形成されている。かかる構成によって、送風ファン１４を回転させたときに、送風ファン１４は上方から空気を吸引し、下方に吹き出すことができる。なお、ケーシング１３の下部には、吹出口２１が開口して形成され、この吹出口２１には、所定角度だけ回動して風向を変更可能なルーバ２２が設けられている。
【００２５】
送風ファン１４の上方に熱交換器１０を略円弧状に配置しているので、送風ファン１４を回転させたときに、送風ファン１４の外周上部に空気を略均等に流入させることができる。
【００２６】
放熱ユニット５は略直方体状に形成され、熱交換器１０は、上方に突出した円弧状に配置されているので、放熱ユニット５内の上前部および上後部には、送風ファン１４に向かって空気が流入しにくい領域ができる。
【００２７】
本実施の形態では、換気通路３に連通する排気通路２３を、放熱ユニット５内の上後部１７と背面部３０との間に貫通して形成している。
【００２８】
ケーシング１３の上後部には、多数の横長のスリット２５がマトリックス状に配置され上下に貫通して形成されている。このスリット２５は、上後部１７の外側の傾斜部２９の直上部に配置され、排気通路２３の入口を形成している。
【００２９】
排気通路２３は、上後部１７の外側の傾斜部２９とケーシング１３の背面部３０との間に横長に形成されている。背面部３０は、上部を断面Ｚ字状に屈曲させ、中間部を断面円弧状に形成している。
図３は同浴室乾燥機の取付板９の正面図である。図１〜図３に示すように、背面部３０の略水平に配置されたＺ字状の中間部であって、背面部３０の横方向の３カ所には、開口部３１、３１ａ、３１ｂが、正面から見て中央、左、右の順に、上下に貫通してそれぞれ形成されている。背面部３０の開口部３１、３１ａ、３１ｂより下側部分には、上後部１７の傾斜部２９との間に隙間をあけて傾斜板部３２が設けられている。
【００３０】
図４（Ａ）〜（Ｃ）は同浴室乾燥機の設置状態を示す平断面図である。図１、図３および図４に示すように、傾斜板部３２は、壁部７の内面８と、換気通路３の入口に対向して配置されている。
【００３１】
図３および図４（Ａ）に示すように、取付板９は門形に形成され、換気通路３を跨ぐようにして壁部７の内面８に固定されている。このとき、中央の開口部３１は換気通路３に連通している。
【００３２】
浴室２内の空気が排気通路２３から開口部３１を通過して、換気通路３から排気されるとき、他の開口部３１ａ、３１ｂは換気通路３に連通していないので、ここからは排気されない。
【００３３】
ここで、図４（Ｂ）に示すように、換気通路３ａに対して、左側の開口部３１ａが連通するように、浴室乾燥機１を設置することができる。この場合、図３に示すように、取付板９を、換気通路３ａの右側に配置する。
【００３４】
また、図４（Ｃ）に示すように、換気通路３ｂに対して、右側の開口部３１ｂが連通するように、浴室乾燥機１を設置することもできる。この場合、図３に示すように、取付板９を、換気通路３ｂの左側に配置する。なお、３つの開口部３１、３１ａ、３１ｂのうち換気通路に連通していない２つの開口部を閉塞し、空気の漏れを完全に防止することも可能である。
かかる構成によって、換気通路に対する設置位置を３カ所のうちから選択することができ、設置位置の自由度が上がる。
【００３５】
ケーシング１３の上前部には、多数の横長のスリット２４がマトリックス状に配置され上下に貫通して形成されている。このスリット２４は、前部１５および前上部１６の直上部に配置されている。
【００３６】
ケーシング１３の内側の前部および上部には、ガイド部材２６が外壁２７の前部および上部に対して隙間をあけて設けられている。この隙間には、浴室２内の空気の吸気用フィルタ２８が着脱可能に設けられている。吸気用フィルタ２８の中間部は、スリット２４の下部に配置され、吸気用フィルタ２８の先部は、スリット２５の下部に配置されている。すなわち、吸気用フィルタ２８の一部は、排気通路２３内に配置されている。
【００３７】
換気ユニット６は、外ケーシング３３の内部に排気ファン３４を備えており、換気通路３から吸引した空気を室外に排出することができる。
【００３８】
次に、浴室乾燥機１の使用方法について説明する。浴室２内の暖房を行うときは、制御装置（図示せず）によって、給湯装置４から往き配管１１内を通過させて熱交換器１０に湯を送る。湯は、熱交換器１０内の配管を往復しながら移動し、フィン１８〜２０を介して空気との熱交換を行う。湯は、その後に戻り配管１２内を通過して給湯装置４に戻る。このように循環する湯によって、熱交換器１０には継続的に熱が供給される。
【００３９】
放熱ユニット５の送風ファン１４を回転させると、浴室２内の空気は、上前部のスリット２４および上後部のスリット２５を通過して、吸気用フィルタ２８により埃等を除去されてからフィン１８〜２０の間の隙間を通過しながら加熱されているフィン１８〜２０との間で熱交換を行う。そして、加熱された空気は、送風ファン１４により吸引され、ケーシング１３の吹出口２１から浴室２内に吹き出される。換気ユニット６の排気ファン３４が回転していないときは、上後部のスリット２５を通過した空気は、換気通路３側に吸引されないので、フィン２０の外側の傾斜部から送風ファン１４により吸引される。
【００４０】
換気を行うときは、排気ファン３４を回転させる。スリット２５を通過した空気の大部分は、換気ユニット６の排気ファン３４により吸引されて排気通路２３を通過し、開口部３１からケーシング１３の裏側に出て、傾斜板部３２と壁部７との間を通過して換気通路３内に入り、換気通路３を通過して、外ケーシング３３の外側に排気される。
【００４１】
排気通路２３を通過する空気は、吸気用フィルタ２８で埃等が除去されているので、流路に埃が滞留したり、排気ファン３４の羽根に付着したり、外ケーシング３３に取り付けられた他のフィルタ（図示せず）等に付着して目詰まりを起こさせたりすることが防止される。
【００４２】
暖房と換気を同時に行うときは、放熱ユニット５と換気ユニット６とを同時に運転する。スリット２５を通過した空気の一部は、送風ファン１４により吸引されてスリット２５間の隙間を通過し、また、大部分の空気は、排気ファン３４に吸引されて排気される。排気通路２３から排気ファン３４までの流路には、スリット等の抵抗が大きい部材が設けられていない。従って、スリット２５の間を通過して送風ファン１４に吸引される空気によって、排気が妨げられることはない。
【００４３】
なお、本実施の形態では、排気通路２３を放熱ユニット５の上後部と背面部３０との間に貫通して形成したが、流路が確保できれば、前部、側部または底部に形成することも可能である。
【００４４】
【発明の効果】
本発明によれば次の効果を奏する。
（１）本発明の浴室乾燥機は、ケーシングの外周縁部を、壁面に隙間なく固定し、ケーシングの内部に、換気通路に連通する排気通路を形成し、吸気用フィルタの一部を、排気通路内に配置したので、放熱ユニット内に吸引される空気と、排気通路を介して換気ユニットに吸引される空気とに含まれている埃等の異物を同一の吸気用フィルタで同時に除去することができ、排気通路、換気通路および換気ユニットに埃等が滞留することを防止して、メンテナンス周期を長くすることができ、また、排気用のフィルタを別途設ける必要がなくなるので、部品数を減らすことができ、さらに、取り外して同時に洗浄できるので、簡単に使用できる。また、壁面と放熱ユニットとの間の隙間がなくなるので、放熱ユニットが浴室内側への突出長さが短くなる。
（２）排気通路の入口を、ケーシングの上後部に形成し、排気通路を、ケーシングと熱交換器とによって囲んで形成すると、排気通路の入口が上方に開口するので、排気通路に付着した水滴が浴室内に滴下することがなくなる。また、壁面に沿って流れることもなくなるので、壁面の劣化が防止される。また、熱交換器側に壁部を設けないので、排気通路の壁部を薄くすることができ、全体の厚みを小さくすることができる。
（３）放熱ユニットを横長に形成し、前記排気通路の出口を、前記ケーシングの背面の複数箇所に形成すると、放熱ユニットを換気通路の位置に対して複数の位置に設置可能となり、取付可能な環境が増える。
【図面の簡単な説明】
【図１】本発明の一実施の形態の浴室乾燥機の側断面図である。
【図２】同浴室乾燥機の放熱ユニットの側断面図である。
【図３】同浴室乾燥機の取付板の正面図である。
【図４】（Ａ）〜（Ｃ）は同浴室乾燥機の設置状態を示す平断面図である。
【符号の説明】
１  浴室乾燥機
２  浴室
３  換気通路
３ａ  換気通路
３ｂ  換気通路
４  給湯装置（熱源）
５  放熱ユニット
６  換気ユニット
７  壁部
８  内面
９  取付板
１０  熱交換器
１１  往き配管
１２  戻り配管
１３  ケーシング
１４  送風ファン
１５  前部
１６  上前部
１７  上後部
１８〜２０  フィン
２１  吹出口
２２  ルーバ
２３  排気通路
２４  スリット
２５  スリット
２６  ガイド部材
２７  外壁
２８  吸気用フィルタ
２９  傾斜部
３０  背面部
３１  開口部
３１ａ  開口部
３１ｂ  開口部
３２  傾斜板部
３２ａ  傾斜板部
３２ｂ  傾斜板部
３３  外ケーシング
３４  排気ファン
【図１】
2004361026.tif 000003
【図２】
2004361026.tif 000004
【図３】
2004361026.tif 000005
【図４】
2004361026.tif 000006